(57)【要約】【課題】      室内の床下に設置されながら室内空間全体を効率的に暖めることができ、しかも常時加熱運転する必要がなくランニングコストを低く抑えることができる室内暖房装置を提供する。【解決手段】  室内の床下に設置される第一蓄熱層と、第一蓄熱層を加熱する第一発熱体と、第一蓄熱層に設けられて室内に連通する吸気口及び排気口が設けられる空気通路と、第一蓄熱層を上方から覆うように設置される第二蓄熱層と、第二蓄熱層を加熱する第二発熱体と、を備えてなり、室内の空気を吸気口から空気通路内へ導入加熱して、排気口から室内へ排出し、第二蓄熱層からの放射熱により室内の床面を暖める。【選択図】図１
2008151395.tif 000002
【特許請求の範囲】
【請求項１】
室内の床下に設置される第一蓄熱層と、
該第一蓄熱層を加熱する第一発熱体と、
前記第一蓄熱層の内部を通過するように設けられて、前記室内に連通する吸気口及び排気口が設けられる空気通路と、を備えてなり、
前記室内の空気を前記吸気口から前記空気通路内へ導入する一方、前記空気通路内で加熱された空気を前記排気口から前記室内へ排出することを特徴とする室内暖房装置。
【請求項２】
前記床下において、前記第一蓄熱層を上方から覆うように設置される第二蓄熱層と、
前記第一蓄熱層と前記第二蓄熱層の間に設けられる断熱体と、
第二蓄熱層を加熱する第二発熱体と、を備えてなり、
第二蓄熱層からの放射熱により、前記室内の床面を暖めることを特徴とする請求項１に記載の室内暖房装置。
【請求項３】
前記第一蓄熱層と前記第二蓄熱層を仕切る断熱体を備えることを特徴とする請求項２に記載の室内暖房装置。
【請求項４】
前記第一発熱体及び／又は第二発熱体は、深夜電力料金が適用される所定時間帯内に自動運転されることを特徴とする請求項１乃至３のいずれかに記載の室内暖房装置。
【請求項５】
前記空気通路は、前記第一蓄熱層を横断するように敷設される熱伝導性配管で形成されることを特徴とする請求項１乃至４のいずれかに記載の室内暖房装置。
【請求項６】
前記空気通路への室内空気の導入及び前記空気通路からの加熱空気の排出を、前記室内に設けられる温度センサの検出結果に基づいて行うことを特徴とする請求項１乃至５のいずれかに記載の室内暖房装置。
【請求項７】
前記空気通路は複数本設けられており、前記室内に設けられる温度センサの検出結果に基づいて、前記空気通路への室内空気の導入及び前記空気通路からの室内空気からの加熱空気の排出が行われる空気通路の本数を変更することを特徴とする請求項６に記載の室内暖房装置。
【発明の詳細な説明】
【技術分野】
【０００１】
本発明は、室内を暖房する室内暖房装置に関する。
【背景技術】
【０００２】
従来、室内を暖房する室内暖房装置として、温水配管を張り巡らせたうえからモルタルを流し込んで固めておき、この温水配管内にボイラーで加熱した温水を循環させたり、温水配管に代えて電気ヒーターを設置し、電気ヒーターを通電加熱したりすることで床面を暖める床暖房装置が採用されている。（例えば、特許文献１参照。）。床暖房装置によれば、ストーブやエアコンディショナーのように床面上や壁面に室内ユニットを設置することなく、室内を効率的に使用することができ、しかも冷気が集まり易い室内下方から暖めるために、暖気が室内上方のみに集中する暖房ムラを解消することができる。
【特許文献１】特開２００６−３４７４６号公報
【発明の開示】
【発明が解決しようとする課題】
【０００３】
ところで、床暖房装置は、室内を床面からの放熱のみによって暖めるものであるから、室内空間全体の温度を効率的に上げるためには不向きな面がある。また、室内空間全体の温度を高める場合には、床面温度を上昇させることになるが、床面には直接、人が立ったり、座ったりするため、あまり温度を高く設定すると、火傷の原因となる可能性がある。また、上記のように、ボイラーで加熱した温水を循環させたり、電気ヒーターを通電加熱したりする床暖房の場合には、ボイラーや電気ヒーターの運転を停止させると、すぐに温度が下がり始める。そのために使用中はボイラーや電気ヒーターを運転させ続けねばならず、ランニングコストが高くつくという問題がある。
【０００４】
本発明は、上記のような事情に鑑みて、室内の床下に設置されながら室内空間全体を効率的に暖めることができ、しかも常時加熱運転をする必要がなくランニングコストを低く抑えることができる室内暖房装置を提供することを目的とする。
【課題を解決するための手段】
【０００５】
請求項１の発明は、室内の床下に設置される第一蓄熱層と、
該第一蓄熱層を加熱する第一発熱体と、
前記第一蓄熱層の内部を通過するように設けられて、前記室内に連通する吸気口及び排気口が設けられる空気通路と、を備えてなり、
前記室内の空気を前記吸気口から前記空気通路内へ導入する一方、前記空気通路内で加熱された空気を前記排気口から前記室内へ排出することを特徴とする室内暖房装置を提供する。
【０００６】
請求項２の発明は、前記床下において、前記第一蓄熱層を上方から覆うように設置される第二蓄熱層と、
第二蓄熱層を加熱する第二発熱体と、を備えてなり、
第二蓄熱層からの放射熱により、前記室内の床面を暖めることを特徴とする請求項１に記載の室内暖房装置を提供する。
【０００７】
請求項３の発明は、前記第一蓄熱層と前記第二蓄熱層を仕切る断熱体を備えることを特徴とする請求項２に記載の室内暖房装置を提供する。
【０００８】
請求項４の発明は、前記第一発熱体及び／又は第二発熱体は、深夜電力料金が適用される所定時間帯内に自動運転されることを特徴とする請求項１乃至３のいずれかに記載の室内暖房装置を提供する。
【０００９】
請求項５の発明は、前記空気通路は、前記第一蓄熱層を横断するように敷設される熱伝導性配管で形成されることを特徴とする請求項１乃至４のいずれかに記載の室内暖房装置を提供する。
【００１０】
請求項６の発明は、前記空気通路への室内空気の導入及び前記空気通路からの加熱空気の排出を、前記室内に設けられる温度センサの検出結果に基づいて行うことを特徴とする請求項１乃至５のいずれかに記載の室内暖房装置を提供する。
【００１１】
請求項７の発明は、前記空気通路は複数本設けられており、前記室内に設けられる温度センサの検出結果に基づいて、前記空気通路への室内空気の導入及び前記空気通路からの室内空気からの加熱空気の排出が行われる空気通路の本数を変更することを特徴とする請求項６に記載の室内暖房装置を提供する。
【発明の効果】
【００１２】
請求項１に記載の発明によれば、以下の優れた効果を奏し得る。室内の空気を床下に設けられる空気通路に導入して加熱する一方、空気通路内で加熱された空気を室内へ排出することにより、室内に暖房ユニット等を配置することなく、また、室内空気を汚すことなく、室内空間全体を効率的に暖房することができる。しかも空気を加熱するために蓄熱層を利用するので、元々の熱源となる第一発熱体を常時運転する必要がなく、ランニングコストを低く抑えることができる。
【００１３】
請求項２に記載の発明によれば、請求項１に記載の発明が奏し得る効果に加えて、以下の優れた効果を奏し得る。第二蓄熱層がその放射熱によって床面を直接暖めるので、第一蓄熱層で加熱された空気を室内に送り込む空調暖房と相俟って、室内全体をムラなく暖房することができる。また、第一蓄熱層は、上方を第二蓄熱層で覆われているために冷めにくく、加熱空気による空調暖房効果を長時間に亘って発揮することができる。
【００１４】
請求項３に記載の発明によれば、請求項２に記載の発明が奏し得る効果に加えて、以下の優れた効果を奏し得る。第一蓄熱層と第二蓄熱層は断熱体で仕切られているため、各蓄熱層の温度を空調暖房あるいは床面暖房に適した温度に個別設定することができる。
【００１５】
請求項４に記載の発明によれば、請求項１乃至３のいずれかに記載の発明が奏し得る効果に加えて、以下の優れた効果を奏し得る。第一発熱体及び／又は第二発熱体を、深夜電力料金が適用される所定時間帯内に自動運転して、その際に熱を蓄えることにより、ランニングコストを一層低く抑えることができる。
【００１６】
請求項５に記載の発明によれば、請求項１乃至４のいずれかに記載の発明が奏し得る効果に加えて、以下の優れた効果を奏し得る。室内空気を加熱するための空気通路を、第一蓄熱層を横断するように敷設される熱伝導性配管で形成することとしたので、空気通路内を通過する空気の加熱を速やかに行うことができ、また空気の暖め具合を安定させることができる。
【００１７】
請求項６に記載の発明によれば、請求項１乃至５のいずれかに記載の発明が奏し得る効果に加えて、以下の優れた効果を奏し得る。空気通路と室内の間における空気の循環を、室内に設けられる温度センサの検出結果に基づいて行うので、室内を適温に維持することができ、暖めすぎによって第一蓄熱層の温度を無駄に低下させたりするような事態を確実に回避することができる。
【００１８】
請求項７に記載の発明によれば、請求項６に記載の発明が奏し得る効果に加えて、以下の優れた効果を奏し得る。複数本の空気通路について、空気通路と室内の間における空気の循環を、温度センサの検出結果に基づいて各個別に行うようにしたので、一層きめ細やかに室内温度を調節することができる。
【発明を実施するための最良の形態】
【００１９】
以下、本発明の実施形態を、図面を参照しつつ説明する。
【００２０】
（本発明の実施形態）
図１〜図５は本発明の実施形態の一例であって、図１は本発明に係る室内暖房装置が設置された建物の室内全体の側方断面図である。図２は同室内の床下部分の拡大断面図、図３は床下部分の詳細を説明するための一部拡大断面図、図４は、床下部分の下方に設置される第一蓄熱層の平面断面図、図５は床下部分において第一蓄熱層の上方に設置される第二蓄熱層の平面断面図である。
【００２１】
（室内暖房装置１）
室内暖房装置１は、図１乃至図５に示されるように、主として、室内Ｒの床下Ｕに設置される第一蓄熱層２と、第一蓄熱層２を加熱して蓄熱させる第一発熱体３と、第一蓄熱層２の内部を通過するように設けられて、室内Ｒに連通する吸気口４１及び排気口４２が設けられる複数本の空気通路４と、床下Ｕにおいて第一蓄熱層２を上方から覆うように設置される第二蓄熱層５と、第二蓄熱層５を加熱して蓄熱させる第二発熱体６と、第二蓄熱層５を上方から覆って室内Ｒの床面Ｆを構成する仕上げ層７と、を備える。
【００２２】
上記のとおりであるから、この室内暖房装置１は、室内Ｒの空気を吸気口４１から床下Ｕの空気通路４内に導入するとともに、空気通路４内で第一蓄熱層２に蓄熱される熱によって加熱し、加熱された空気を排気口４２から室内Ｒ側へ排出することによって、空調暖房として機能することができる。また、第二蓄熱層５からの放射熱によって室内Ｒの床面Ｆを直接暖めることにより、床暖房として機能することができる。したがって、これら両機能により室内Ｒ全体をムラなく暖房することができる。
【００２３】
（第一蓄熱層２）
第一蓄熱層２は、上述したように、室内Ｒの床下Ｕに設置され、室内Ｒから空気通路４内に導入される空気を加熱するために利用される。第一蓄熱層２は、床下Ｕに形成されるコンクリートスラブＳの上面側に金網を設置し、その金網内に蓄熱材となる多数の玉砂利等の小石を所定深さに敷き詰め、さらにその上方からモルタルを流し込んで固めることにより形成される。金網はモルタルのひび割れを防止する構造材として機能する。なお、小石を敷き詰める際には、後述する第一発熱体３及び熱伝導性配管４ａが埋設される。第一蓄熱層２とコンクリートスラブＳの間には、下方（コンクリートスラブＳ）からの湿気を遮断するとともに、第一蓄熱層２の熱を下方へ逃がさないようにする断熱体としての第一断熱層２１が形成されている。
【００２４】
（第一断熱層２１）
第一断熱層２１は、図３に示されるように、コンクリートスラブＳの上面に防湿シート２１ａ及び発泡スチロール板２１ｂを敷き、それらの上面側に三枚（複数枚）のアルミ製熱反射シート２１ｃと三枚（複数枚）の耐水性耐火ボード２１ｄを交互に重ね敷きした合計八層（複数層）で形成される。なお、アルミ製熱反射シートと耐水性耐火ボードを交互に二枚（複数枚）重ねてなる第一側面断熱層２２が、図２及び図４に示されるように、床下Ｕ及び室内Ｒの周囲に設けられるコンクリートの側壁Ｗ１，Ｗ２及びこれらの両側端を接続するように設けられる側壁の内側に形成されており、側方からの湿気の遮断と側方への放射熱の遮断を図っている。
【００２５】
（第一発熱体３）
第一発熱体３は、上述したように、第一蓄熱層２を加熱して蓄熱させるために利用されるもので、第一蓄熱層２の内部を水平方向に横断するように埋設される電気ヒーターである。この電気ヒーターは、図４に点線で示されるように、相互に平行に、かつ、所定間隔をおいて配置される複数本のヒーター線３１と、これらの両側端を連結するように設けられる二本のヒーター線３２と、で、床面Ｆ全体をカバーする面状をなすように構成され、第一蓄熱層温度コントローラー３３で深夜電力料金が適用される所定時間帯内に自動運転される。各ヒーター線は、パイプで覆われるように、その内部に挿通されることで保護されている。なお、第一蓄熱層温度コントローラー３３は、第一蓄熱層２が所定温度となるように第一発熱体３に対する通電制御を行うが、所定温度の設定は、室内Ｒに設置される操作盤ＳＷ（図１）で行うことができる。
【００２６】
（空気通路４）
空気通路４は、上述したように、第一蓄熱層２の内部を通過するように複数本設けられており、室内Ｒの空気を導入し、第一蓄熱層２で加熱した後、室内Ｒに排出するもので、主として、図３に示されるように蛇腹状に形成されるとともに、図４に示されるように平面視で波形状となるように湾曲させられ、第一発熱体３の上方を水平方向に横断するように埋設される配管４ａで形成される。第一蓄熱層２の熱を効率的に伝導するため、配管４ａは、銅やステンレス等の熱伝導性配管が採用されており、上記のように蛇腹状や波形状とすることで、室内Ｒから導入された空気に対する接触面積の拡大、すなわち熱交換性の向上が図られている。
【００２７】
各空気通路４の両端は、図１及び図２に示されるように室内Ｒに連通されており、一端が側壁Ｗ１に開口される吸気口４１をなし、他端が側壁Ｗ１に対向する側壁Ｗ２に近い床面Ｆから上方に開口される排気口４２をなす。吸気口４１側は、室内Ｒ部分の側壁Ｗ１に設けられる貫通穴Ｈ１から一旦室外に退出し、室外でＵ字状に湾曲して、床下Ｕ部分の側壁Ｗ１に設けられる別の貫通穴Ｈ２から第一蓄熱層２に進入するように形成されている。貫通穴Ｈ１及びＨ２と空気通路４の隙間には、吸音材及び断熱材となるグラスウールが詰められている。また、空気通路４の室外への突出部分は、雨避け兼用の保護カバー４４で覆われており、保護カバー４４との隙間にも吸音材及び断熱材となるグラスウールが詰められている。
【００２８】
各空気通路４の室外への突出部分の中途部には、室内Ｒの空気を空気通路４の内部に導入するとともに、加熱した空気を室内Ｒへ排出する空気循環ファンとしての電動ファン４３が一つずつ設けられている。これらの電動ファン４３は、室内温度が操作盤ＳＷで予め設定された室内設定温度を維持されるように、室内Ｒに設けられる温度センサＴの検出結果に基づいて作動台数を増減させ、室内空気の導入及び加熱空気の排出がなされる空気通路４の本数を変更する。例えば、室内温度が室内設定温度に比べて低い場合には、すべての電動ファン４３を作動させて、すべての空気通路４に室内空気を導入して加熱し、室内設定温度に達した後は、作動させる電動ファン４３の台数を室内温度維持に必要十分となるレベルの台数まで減らす。逆に、室内温度が室内設定温度よりも高くなっている場合は、すべての電動ファン４３を停止させる。
【００２９】
排気口４２側は、熱伝導性配管４ａが、図１、図２及び図４に示されるように、第一蓄熱層２からの突出部分が床下Ｕから床面Ｆの上方に延びる排気筒４５の内部側面に開口させられており、加熱空気が排気筒４５から室内Ｒへ排出される。排気筒４５は、床面Ｆから上方に延びる化粧カバー４６で覆われており、加熱空気は、化粧カバー４６の上面に設けられる排気口グリル４７を介して室内Ｒに排出される。排気口４２は、吸気口４１が設けられる側壁Ｗ１に対向する側壁Ｗ２の近くに設けられており、図１において、矢印で示されるように、加熱空気を室内全体で循環させて、効率的に空調暖房することができる。なお、化粧カバー４６の内部には、フィルター４８が設置されており、ここに脱臭剤として臭いを除去する備長炭や、アロマテラピー効果を与える芳香剤を配置することもできる。
【００３０】
（第二蓄熱層５）
第二蓄熱層５は、上述したように、床下Ｕにおいて第一蓄熱層２を上方から覆うように設置され、その放射熱によって上方にある室内Ｒの床面Ｆを直接暖めるために利用される。第二蓄熱層５は、図３に示されるように第一蓄熱層２の上面を第二断熱層５１で覆った上に設けられるものであり、第二断熱層５１の上面側にモルタルのひび割れを防止するための金網を設置し、その金網内に蓄熱材となる多数の玉砂利等の小石を所定深さに敷き詰め、さらに上方からモルタルを流し込んで固めることにより形成される。なお、金網内に小石を敷き詰める際には、後述する第二発熱体６が埋設される。
【００３１】
（第二断熱層５１）
第二断熱層５１は、図３に示されるように、第一蓄熱層２の上面に所定厚みとなる川砂層５１ａと、その上面に、アルミ製熱反射シート５１ｂを挟み込んだ二枚（複数枚）の耐水性耐火ボード５１ｃを敷いてなる合計四層（複数層）で形成される断熱体である。これにより、第一蓄熱層２と第二蓄熱層５が仕切られ、これらの蓄熱層相互間における熱移動が抑えられて、各々空調暖房及び床暖房に適した温度に個別設定することができる。なお、二枚の耐水性耐火ボードの間にアルミ製熱反射シートを挟み込んでなる第二側面断熱層５２が、図１及び図２に示されるように、第二蓄熱層５とその側方に設けられるコンクリートの側壁Ｗ３の間に形成されており、側壁Ｗ１，Ｗ２の内側に設けられる第一側面断熱層２２と同様に側方への放射熱の遮断を図っている。
【００３２】
（第二発熱体６）
第二発熱体６は、上述したように、第二蓄熱層５を加熱して蓄熱させるために利用されるもので、第二蓄熱層５の内部を水平方向に横断するように埋設される電気ヒーターである。この電気ヒーターは、図５に示されるように、第一発熱体３と同様、相互に平行に、かつ、所定間隔をおいて配置される複数本のヒーター線６１と、これらの両側端を連結するように設けられる二本のヒーター線６２と、で、室内全体をカバーする面状をなすように構成され、第二蓄熱層温度コントローラー６３で深夜電力料金が適用される所定時間帯内に自動運転される。各ヒーター線は、第一発熱体３と同様にパイプで覆われ、保護されている。なお、第二蓄熱層温度コントローラー６３は、第二蓄熱層５が所定温度となるように第二発熱体６に対する通電制御を行い、所定温度の設定は、第一蓄熱層温度コントローラー３３と同様に、床上に設置される操作盤ＳＷで行われる。
【００３３】
（仕上げ層７）
仕上げ層７は、上述したように、第二蓄熱層５を上方から覆って室内Ｒの床面Ｆを構成するものであって、図２及び図３に示されるように、第二蓄熱層５の上面に敷かれる耐熱保温マット７１と、その上面にひび割れ防止の補強用金網７２ａをおいて流し込まれる保護モルタル７２と、保護モルタル７２の上面に貼り付けられる仕上げ材としてのタイル７３と、を備えてなる。なお、仕上げ材は、いわゆる内装材であり、タイル以外に様々なものを採用することができる。
【００３４】
（上記実施形態の特徴）
上記実施形態に係る室内暖房装置１は、以下の特徴を有する。
【００３５】
第一に、上記実施形態に係る室内暖房装置１は、室内Ｒの床下Ｕに設置される第一蓄熱層２と、第一蓄熱層２を加熱する第一発熱体３と、第一蓄熱層２の内部を通過するように設けられて、室内Ｒに連通する吸気口４１及び排気口４２が設けられる空気通路４と、を備え、室内Ｒの空気を吸気口４１から空気通路４内へ導入する一方、空気通路４内で第一蓄熱層２からの放射熱によって加熱された空気を排気口４２から室内Ｒへ排出するという特徴を有する。これにより、室内Ｒに暖房ユニットを配置することなく、室内空間全体を効率的に暖房することができる。また、室内空気は空気通路４内に導入して加熱するだけで汚れが少ないために頻繁に換気する必要がなく、さらに空気加熱に蓄熱層を利用することにより、熱源となる第一発熱体３を常時運転する必要がないため、ランニングコストが低く抑えられるという利点がある。
【００３６】
第二に、上記実施形態に係る室内暖房装置１は、床下Ｕにおいて、第一蓄熱層２を上方から覆うように設置される第二蓄熱層５と、第二蓄熱層５を加熱する第二発熱体６と、を備え、第二蓄熱層５からの放射熱により、室内Ｒの床面Ｆを直接暖めるという特徴を有する。これにより、第二蓄熱層５の放射熱によって床面Ｆが直接暖められるので、第一蓄熱層２で加熱された空気を室内に送り込む空調暖房と相俟って、室内全体がムラなく暖房される。また、第一蓄熱層２は、上方を第二蓄熱層５によって覆われるために冷めにくく、加熱空気による空調暖房効果が長時間に亘って発揮される。
【００３７】
第三に、上記実施形態に係る室内暖房装置１は、第一蓄熱層２と第二蓄熱層５を仕切る断熱体としての第二断熱層５１を備えるという特徴を有する。これにより、第一蓄熱層２と第二蓄熱層５の間における熱移動が抑えられることとなり、各蓄熱層の温度をそれぞれ空調暖房及び床暖房に適した温度に個別設定することができる。
【００３８】
第四に、上記実施形態に係る室内暖房装置１は、第一発熱体３及び第二発熱体６が、深夜電力料金が適用される所定時間帯内に自動運転されるという特徴を有する。これにより、第一発熱体３及び第二発熱体６を深夜電力料金の適用される所定時間帯内にのみ運転して、安い電力料金で第一蓄熱層２と第二蓄熱層５に必要な熱を蓄えておき、所定時間帯以外はその蓄熱を利用して暖房をすることができるため、ランニングコストが低く抑えられる。
【００３９】
第五に、上記実施形態に係る室内暖房装置１は、空気通路４は、第一蓄熱層２内において、これを横断するように敷設される熱伝導性配管４ａで形成されているという特徴を有する。これにより、室内空気を効率的に循環させながら、空気通路４内を通過する空気の加熱を速やかに行うことができ、また空気の暖め具合を安定させることができる。
【００４０】
第六に、上記実施形態に係る室内暖房装置１は、空気通路４の中途部に設けられる電動ファン４３の作動、すなわち空気通路４への室内空気の導入及び空気通路４からの加熱空気の排出を、室内Ｒに設けられる温度センサＴの検出結果に基づいて行うという特徴を有する。これにより、空気通路４と室内Ｒの間における空気の循環を、室内温度に応じて行うことができ、その結果、室内を適温に維持することができ、暖め過ぎによって第一蓄熱層２の温度を無駄に低下させたり、あるいは暖め不足によって室内温度を低下させたりする不都合が確実に回避される。
【００４１】
第七に、上記実施形態に係る室内暖房装置１は、空気通路４が相互に独立して複数本設けられており、作動する電動ファン４３の台数、すなわち室内空気の導入及び排出を行う空気通路４の本数を、温度センサＴの検出結果に基づいて変更するという特徴を有する。これにより、室内温度と温度センサＴの検出結果の差に応じて、一層きめ細やかに室内温度を調節することができる。
【００４２】
（上記実施形態の変形例）
上記実施形態では、第一蓄熱層２の上方に断熱体を介して第二蓄熱層５を設けることで、蓄熱温度の低下を防止しながら、蓄熱層相互間における熱移動を抑えて、各々、室内空調暖房及び床暖房に適した暖房温度に個別設定できるようにしたが、第一蓄熱層２と第二蓄熱層５を一体的に設けることとしても良く、さらに第一発熱体３と第二発熱体６を一つの発熱体にまとめて共用することとしても良い。また、第一蓄熱層２のみを設けて室内空調暖房のみを行わせることとしても良い。
【００４３】
上記実施形態では、室内空気を導入・加熱・排出する空気通路４を形成する熱伝導性配管４ａとして、銅やステンレス等の金属製配管を紹介したが、これ以外に陶器製やコンクリート製等の様々な材質で形成される配管を採用することとしても良い。その際、配管に多数の小孔を設けておき、それらの小孔から熱を取り入れるようにしても良い。また、配管に代えて、相互に連通する小孔を備える多孔性ブロック等を設置しておき、それらの小孔を空気通路としても良い。さらに、上記実施形態では、第一蓄熱層２から室内空気に付与される熱量を大きくするために、配管を蛇腹状に形成したり、波形状に湾曲させたりしたが、他の形状に形成することとしても良い。
【００４４】
上記実施形態では、室内空気の温度調節がきめ細やかに実施されるように、すべての空気通路４を相互に独立して設けたが、複数本の空気通路の吸気口や排気口を一箇所にまとめるようにしても良い。上記実施形態では、室内騒音を抑えるために、吸気口付近の配管を室外に迂回させて、その迂回部に空気を循環させるファンを設置することとしたが、空気通路は吸気口から直接床下に向かうように設けても良く、ファンを室内に設置することとしても良い。また、吸気口側に設けるファンに代えて、あるいは追加して、排気口側にファンを取り付けることとしても良い。
【００４５】
上記実施形態では、第一発熱体３及び第二発熱体６の運転を深夜電力料金が適用される所定時間帯内に行うこととしたが、気温等の影響で第一蓄熱層２及び第二蓄熱層５の温度が著しく低下した場合に備えて、上記所定時間帯外であっても自動運転又は手動運転で各蓄熱層の温度を上げられるように構成しても良い。
【００４６】
上記実施形態では、第一蓄熱層２の下方にコンクリートスラブＳが設けられていたが、コンクリートスラブを設けることなく、土間の上面に直接、第一断熱層２１を設け、その上面に第一蓄熱層２を設置することとしても良い。
【００４７】
上記の他、本発明の室内暖房装置は、上記した実施の形態に限定されるものではなく、本発明の要旨を逸脱しない範囲内において種々変更を加え得ることは勿論である。
【図面の簡単な説明】
【００４８】
【図１】本発明に係る室内暖房装置が設置された建物の室内全体の側方断面図。
【図２】室内の床下部分の拡大断面図。
【図３】床下部分の詳細を説明するための一部拡大断面図。
【図４】床下部分の下方に設置される第一蓄熱層の平面断面図。
【図５】床下部分において第一蓄熱層の上方に設置される第二蓄熱層の平面断面図。
【符号の説明】
【００４９】
１    室内暖房装置
２    第一蓄熱層
３    第一発熱体
４    空気通路
５    第二蓄熱層
６    第二発熱体
７    仕上げ層
２１    第一断熱層
２１ａ  防湿シート
２１ｂ  発泡スチロール
２１ｃ  アルミ製熱反射シート
２１ｄ  耐水性耐火ボード
２２    第一側面断熱層
３１    ヒーター線
３２    ヒーター線
３３    第一蓄熱層温度コントローラー
４ａ    配管（熱伝導性配管）
４１    吸気口
４２    排気口
４３    電動ファン
４４    保護カバー
４５    排気筒
４６    化粧カバー
４７    排気口グリル
４８    フィルター
５１    第二断熱層
５１ａ  川砂層
５１ｂ  アルミ製熱反射シート
５１ｃ  耐水性耐火ボード
５２    第二側面断熱層
６１    ヒーター線
６２    ヒーター線
６３    第二蓄熱層温度コントローラー
７１    耐熱保温マット
７２    保護モルタル
７２ａ    補強用金網
７３    タイル
Ｆ    床面
Ｈ１    貫通穴
Ｈ２    貫通穴
Ｒ    室内
Ｓ      コンクリートスラブ
ＳＷ    操作盤
Ｔ    温度センサ
Ｕ    床下
Ｗ１    側壁
Ｗ２    側壁
Ｗ３    側壁
【図１】
2008151395.tif 000003
【図２】
2008151395.tif 000004
【図３】
2008151395.tif 000005
【図４】
2008151395.tif 000006
【図５】
2008151395.tif 000007
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
室内の床下に設置される第一蓄熱層と、
該第一蓄熱層を加熱する第一発熱体と、
該第一発熱体に対する通電制御により、前記第一蓄熱層の温度設定を行う第一蓄熱層温度コントローラーと、
前記第一蓄熱層の内部を通過するように設けられて、前記室内に連通する吸気口及び排気口が設けられる空気通路と、
前記床下において、前記第一蓄熱層を上方から覆うように設置される第二蓄熱層と、
第二蓄熱層を加熱する第二発熱体と、
該第二発熱体に対する通電制御により、前記第二蓄熱層の温度設定を行う第二蓄熱層温度コントローラーと、
前記第一蓄熱層と前記第二蓄熱層を仕切る断熱体と、を備えてなり、
前記室内の空気を前記吸気口から前記空気通路内へ導入する一方、前記空気通路内で加熱された空気を前記排気口から前記室内へ排出し、
第二蓄熱層からの放射熱により、前記室内の床面を暖め、
前記第一蓄熱層及び前記第二蓄熱層の温度はそれぞれ空調暖房及び床暖房に適した温度に個別設定することができることを特徴とする室内暖房装置。
【請求項２】
前記空気通路は、前記第一蓄熱層を横断するように敷設される熱伝導性配管で形成されることを特徴とする請求項１に記載の室内暖房装置。
【請求項３】
前記空気通路への室内空気の導入及び前記空気通路からの加熱空気の排出を、前記室内に設けられる温度センサの検出結果に基づいて行うことを特徴とする請求項１又は２に記載の室内暖房装置。
【請求項４】
前記空気通路は複数本設けられており、前記室内に設けられる温度センサの検出結果に基づいて、前記空気通路への室内空気の導入及び前記空気通路からの室内空気からの加熱空気の排出が行われる空気通路の本数を変更することを特徴とする請求項３に記載の室内暖房装置。
【手続補正２】
【補正対象書類名】明細書
【補正対象項目名】全文
【補正方法】変更
【補正の内容】
【発明の詳細な説明】
【技術分野】
【０００１】
本発明は、室内を暖房する室内暖房装置に関する。
【背景技術】
【０００２】
従来、室内を暖房する室内暖房装置として、温水配管を張り巡らせたうえからモルタルを流し込んで固めておき、この温水配管内にボイラーで加熱した温水を循環させたり、温水配管に代えて電気ヒーターを設置し、電気ヒーターを通電加熱したりすることで床面を暖める床暖房装置が採用されている。（例えば、特許文献１参照。）。床暖房装置によれば、ストーブやエアコンディショナーのように床面上や壁面に室内ユニットを設置することなく、室内を効率的に使用することができ、しかも冷気が集まり易い室内下方から暖めるために、暖気が室内上方のみに集中する暖房ムラを解消することができる。
【特許文献１】特開２００６−３４７４６号公報
【発明の開示】
【発明が解決しようとする課題】
【０００３】
ところで、床暖房装置は、室内を床面からの放熱のみによって暖めるものであるから、室内空間全体の温度を効率的に上げるためには不向きな面がある。また、室内空間全体の温度を高める場合には、床面温度を上昇させることになるが、床面には直接、人が立ったり、座ったりするため、あまり温度を高く設定すると、火傷の原因となる可能性がある。また、上記のように、ボイラーで加熱した温水を循環させたり、電気ヒーターを通電加熱したりする床暖房の場合には、ボイラーや電気ヒーターの運転を停止させると、すぐに温度が下がり始める。そのために使用中はボイラーや電気ヒーターを運転させ続けねばならず、ランニングコストが高くつくという問題がある。
【０００４】
本発明は、上記のような事情に鑑みて、室内の床下に設置されながら室内空間全体を効率的に暖めることができ、しかも常時加熱運転をする必要がなくランニングコストを低く抑えることができる室内暖房装置を提供することを目的とする。
【課題を解決するための手段】
【０００５】
請求項１の発明は、室内の床下に設置される第一蓄熱層と、
該第一蓄熱層を加熱する第一発熱体と、
該第一発熱体に対する通電制御により、前記第一蓄熱層の温度設定を行う第一蓄熱層温度コントローラーと、
前記第一蓄熱層の内部を通過するように設けられて、前記室内に連通する吸気口及び排気口が設けられる空気通路と、
前記床下において、前記第一蓄熱層を上方から覆うように設置される第二蓄熱層と、
第二蓄熱層を加熱する第二発熱体と、
該第二発熱体に対する通電制御により、前記第二蓄熱層の温度設定を行う第二蓄熱層温度コントローラーと、
前記第一蓄熱層と前記第二蓄熱層を仕切る断熱体と、を備えてなり、
前記室内の空気を前記吸気口から前記空気通路内へ導入する一方、前記空気通路内で加熱された空気を前記排気口から前記室内へ排出し、
第二蓄熱層からの放射熱により、前記室内の床面を暖め、
前記第一蓄熱層及び前記第二蓄熱層の温度はそれぞれ空調暖房及び床暖房に適した温度に個別設定することができることを特徴とする室内暖房装置を提供する。
【０００６】
請求項２の発明は、前記空気通路は、前記第一蓄熱層を横断するように敷設される熱伝導性配管で形成されることを特徴とする請求項１に記載の室内暖房装置を提供する。
【０００７】
請求項３の発明は、前記空気通路への室内空気の導入及び前記空気通路からの加熱空気の排出を、前記室内に設けられる温度センサの検出結果に基づいて行うことを特徴とする請求項１又は２に記載の室内暖房装置を提供する。
【０００８】
請求項４の発明は、前記空気通路は複数本設けられており、前記室内に設けられる温度センサの検出結果に基づいて、前記空気通路への室内空気の導入及び前記空気通路からの室内空気からの加熱空気の排出が行われる空気通路の本数を変更することを特徴とする請求項３に記載の室内暖房装置を提供する。
【発明の効果】
【０００９】
請求項１に記載の発明によれば、以下の優れた効果を奏し得る。室内の空気を床下に設けられる空気通路に導入して加熱する一方、空気通路内で加熱された空気を室内へ排出することにより、室内に暖房ユニット等を配置することなく、また、室内空気を汚すことなく、室内空間全体を効率的に暖房することができる。しかも空気を加熱するために蓄熱層を利用するので、元々の熱源となる第一発熱体を常時運転する必要がなく、ランニングコストを低く抑えることができる。
【００１０】
また、第二蓄熱層がその放射熱によって床面を直接暖めるので、第一蓄熱層で加熱された空気を室内に送り込む空調暖房と相俟って、室内全体をムラなく暖房することができる。また、第一蓄熱層は、上方を第二蓄熱層で覆われているために冷めにくく、加熱空気による空調暖房効果を長時間に亘って発揮することができる。
【００１１】
さらに、第一蓄熱層の温度設定を行う第一蓄熱層温度コントローラーと、第二蓄熱層の温度設定を行う第二蓄熱層温度コントローラーと、を備えており、第一蓄熱層と第二蓄熱層は断熱体で仕切られているため、各蓄熱層の温度を空調暖房あるいは床面暖房に適した温度に個別設定することができる。
【００１２】
請求項２に記載の発明によれば、請求項１に記載の発明が奏し得る効果に加えて、以下の優れた効果を奏し得る。室内空気を加熱するための空気通路を、第一蓄熱層を横断するように敷設される熱伝導性配管で形成することとしたので、空気通路内を通過する空気の加熱を速やかに行うことができ、また空気の暖め具合を安定させることができる。
【００１３】
請求項３に記載の発明によれば、請求項１又は２記載の発明が奏し得る効果に加えて、以下の優れた効果を奏し得る。空気通路と室内の間における空気の循環を、室内に設けられる温度センサの検出結果に基づいて行うので、室内を適温に維持することができ、暖めすぎによって第一蓄熱層の温度を無駄に低下させたりするような事態を確実に回避することができる。
【００１４】
請求項４に記載の発明によれば、請求項３に記載の発明が奏し得る効果に加えて、以下の優れた効果を奏し得る。複数本の空気通路について、空気通路と室内の間における空気の循環を、温度センサの検出結果に基づいて各個別に行うようにしたので、一層きめ細やかに室内温度を調節することができる。
【発明を実施するための最良の形態】
【００１５】
以下、本発明の実施形態を、図面を参照しつつ説明する。
【００１６】
（本発明の実施形態）
図１〜図５は本発明の実施形態の一例であって、図１は本発明に係る室内暖房装置が設置された建物の室内全体の側方断面図である。図２は同室内の床下部分の拡大断面図、図３は床下部分の詳細を説明するための一部拡大断面図、図４は、床下部分の下方に設置される第一蓄熱層の平面断面図、図５は床下部分において第一蓄熱層の上方に設置される第二蓄熱層の平面断面図である。
【００１７】
（室内暖房装置１）
室内暖房装置１は、図１乃至図５に示されるように、主として、室内Ｒの床下Ｕに設置される第一蓄熱層２と、第一蓄熱層２を加熱して蓄熱させる第一発熱体３と、第一蓄熱層２の内部を通過するように設けられて、室内Ｒに連通する吸気口４１及び排気口４２が設けられる複数本の空気通路４と、床下Ｕにおいて第一蓄熱層２を上方から覆うように設置される第二蓄熱層５と、第二蓄熱層５を加熱して蓄熱させる第二発熱体６と、第二蓄熱層５を上方から覆って室内Ｒの床面Ｆを構成する仕上げ層７と、を備える。
【００１８】
上記のとおりであるから、この室内暖房装置１は、室内Ｒの空気を吸気口４１から床下Ｕの空気通路４内に導入するとともに、空気通路４内で第一蓄熱層２に蓄熱される熱によって加熱し、加熱された空気を排気口４２から室内Ｒ側へ排出することによって、空調暖房として機能することができる。また、第二蓄熱層５からの放射熱によって室内Ｒの床面Ｆを直接暖めることにより、床暖房として機能することができる。したがって、これら両機能により室内Ｒ全体をムラなく暖房することができる。
【００１９】
（第一蓄熱層２）
第一蓄熱層２は、上述したように、室内Ｒの床下Ｕに設置され、室内Ｒから空気通路４内に導入される空気を加熱するために利用される。第一蓄熱層２は、床下Ｕに形成されるコンクリートスラブＳの上面側に金網を設置し、その金網内に蓄熱材となる多数の玉砂利等の小石を所定深さに敷き詰め、さらにその上方からモルタルを流し込んで固めることにより形成される。金網はモルタルのひび割れを防止する構造材として機能する。なお、小石を敷き詰める際には、後述する第一発熱体３及び熱伝導性配管４ａが埋設される。第一蓄熱層２とコンクリートスラブＳの間には、下方（コンクリートスラブＳ）からの湿気を遮断するとともに、第一蓄熱層２の熱を下方へ逃がさないようにする断熱体としての第一断熱層２１が形成されている。
【００２０】
（第一断熱層２１）
第一断熱層２１は、図３に示されるように、コンクリートスラブＳの上面に防湿シート２１ａ及び発泡スチロール板２１ｂを敷き、それらの上面側に三枚（複数枚）のアルミ製熱反射シート２１ｃと三枚（複数枚）の耐水性耐火ボード２１ｄを交互に重ね敷きした合計八層（複数層）で形成される。なお、アルミ製熱反射シートと耐水性耐火ボードを交互に二枚（複数枚）重ねてなる第一側面断熱層２２が、図２及び図４に示されるように、床下Ｕ及び室内Ｒの周囲に設けられるコンクリートの側壁Ｗ１，Ｗ２及びこれらの両側端を接続するように設けられる側壁の内側に形成されており、側方からの湿気の遮断と側方への放射熱の遮断を図っている。
【００２１】
（第一発熱体３）
第一発熱体３は、上述したように、第一蓄熱層２を加熱して蓄熱させるために利用されるもので、第一蓄熱層２の内部を水平方向に横断するように埋設される電気ヒーターである。この電気ヒーターは、図４に点線で示されるように、相互に平行に、かつ、所定間隔をおいて配置される複数本のヒーター線３１と、これらの両側端を連結するように設けられる二本のヒーター線３２と、で、床面Ｆ全体をカバーする面状をなすように構成され、第一蓄熱層温度コントローラー３３で深夜電力料金が適用される所定時間帯内に自動運転される。各ヒーター線は、パイプで覆われるように、その内部に挿通されることで保護されている。なお、第一蓄熱層温度コントローラー３３は、第一蓄熱層２が所定温度となるように第一発熱体３に対する通電制御を行うが、所定温度の設定は、室内Ｒに設置される操作盤ＳＷ（図１）で行うことができる。
【００２２】
（空気通路４）
空気通路４は、上述したように、第一蓄熱層２の内部を通過するように複数本設けられており、室内Ｒの空気を導入し、第一蓄熱層２で加熱した後、室内Ｒに排出するもので、主として、図３に示されるように蛇腹状に形成されるとともに、図４に示されるように平面視で波形状となるように湾曲させられ、第一発熱体３の上方を水平方向に横断するように埋設される配管４ａで形成される。第一蓄熱層２の熱を効率的に伝導するため、配管４ａは、銅やステンレス等の熱伝導性配管が採用されており、上記のように蛇腹状や波形状とすることで、室内Ｒから導入された空気に対する接触面積の拡大、すなわち熱交換性の向上が図られている。
【００２３】
各空気通路４の両端は、図１及び図２に示されるように室内Ｒに連通されており、一端が側壁Ｗ１に開口される吸気口４１をなし、他端が側壁Ｗ１に対向する側壁Ｗ２に近い床面Ｆから上方に開口される排気口４２をなす。吸気口４１側は、室内Ｒ部分の側壁Ｗ１に設けられる貫通穴Ｈ１から一旦室外に退出し、室外でＵ字状に湾曲して、床下Ｕ部分の側壁Ｗ１に設けられる別の貫通穴Ｈ２から第一蓄熱層２に進入するように形成されている。貫通穴Ｈ１及びＨ２と空気通路４の隙間には、吸音材及び断熱材となるグラスウールが詰められている。また、空気通路４の室外への突出部分は、雨避け兼用の保護カバー４４で覆われており、保護カバー４４との隙間にも吸音材及び断熱材となるグラスウールが詰められている。
【００２４】
各空気通路４の室外への突出部分の中途部には、室内Ｒの空気を空気通路４の内部に導入するとともに、加熱した空気を室内Ｒへ排出する空気循環ファンとしての電動ファン４３が一つずつ設けられている。これらの電動ファン４３は、室内温度が操作盤ＳＷで予め設定された室内設定温度を維持されるように、室内Ｒに設けられる温度センサＴの検出結果に基づいて作動台数を増減させ、室内空気の導入及び加熱空気の排出がなされる空気通路４の本数を変更する。例えば、室内温度が室内設定温度に比べて低い場合には、すべての電動ファン４３を作動させて、すべての空気通路４に室内空気を導入して加熱し、室内設定温度に達した後は、作動させる電動ファン４３の台数を室内温度維持に必要十分となるレベルの台数まで減らす。逆に、室内温度が室内設定温度よりも高くなっている場合は、すべての電動ファン４３を停止させる。
【００２５】
排気口４２側は、熱伝導性配管４ａが、図１、図２及び図４に示されるように、第一蓄熱層２からの突出部分が床下Ｕから床面Ｆの上方に延びる排気筒４５の内部側面に開口させられており、加熱空気が排気筒４５から室内Ｒへ排出される。排気筒４５は、床面Ｆから上方に延びる化粧カバー４６で覆われており、加熱空気は、化粧カバー４６の上面に設けられる排気口グリル４７を介して室内Ｒに排出される。排気口４２は、吸気口４１が設けられる側壁Ｗ１に対向する側壁Ｗ２の近くに設けられており、図１において、矢印で示されるように、加熱空気を室内全体で循環させて、効率的に空調暖房することができる。なお、化粧カバー４６の内部には、フィルター４８が設置されており、ここに脱臭剤として臭いを除去する備長炭や、アロマテラピー効果を与える芳香剤を配置することもできる。
【００２６】
（第二蓄熱層５）
第二蓄熱層５は、上述したように、床下Ｕにおいて第一蓄熱層２を上方から覆うように設置され、その放射熱によって上方にある室内Ｒの床面Ｆを直接暖めるために利用される。第二蓄熱層５は、図３に示されるように第一蓄熱層２の上面を第二断熱層５１で覆った上に設けられるものであり、第二断熱層５１の上面側にモルタルのひび割れを防止するための金網を設置し、その金網内に蓄熱材となる多数の玉砂利等の小石を所定深さに敷き詰め、さらに上方からモルタルを流し込んで固めることにより形成される。なお、金網内に小石を敷き詰める際には、後述する第二発熱体６が埋設される。
【００２７】
（第二断熱層５１）
第二断熱層５１は、図３に示されるように、第一蓄熱層２の上面に所定厚みとなる川砂層５１ａと、その上面に、アルミ製熱反射シート５１ｂを挟み込んだ二枚（複数枚）の耐水性耐火ボード５１ｃを敷いてなる合計四層（複数層）で形成される断熱体である。これにより、第一蓄熱層２と第二蓄熱層５が仕切られ、これらの蓄熱層相互間における熱移動が抑えられて、各々空調暖房及び床暖房に適した温度に個別設定することができる。なお、二枚の耐水性耐火ボードの間にアルミ製熱反射シートを挟み込んでなる第二側面断熱層５２が、図１及び図２に示されるように、第二蓄熱層５とその側方に設けられるコンクリートの側壁Ｗ３の間に形成されており、側壁Ｗ１，Ｗ２の内側に設けられる第一側面断熱層２２と同様に側方への放射熱の遮断を図っている。
【００２８】
（第二発熱体６）
第二発熱体６は、上述したように、第二蓄熱層５を加熱して蓄熱させるために利用されるもので、第二蓄熱層５の内部を水平方向に横断するように埋設される電気ヒーターである。この電気ヒーターは、図５に示されるように、第一発熱体３と同様、相互に平行に、かつ、所定間隔をおいて配置される複数本のヒーター線６１と、これらの両側端を連結するように設けられる二本のヒーター線６２と、で、室内全体をカバーする面状をなすように構成され、第二蓄熱層温度コントローラー６３で深夜電力料金が適用される所定時間帯内に自動運転される。各ヒーター線は、第一発熱体３と同様にパイプで覆われ、保護されている。なお、第二蓄熱層温度コントローラー６３は、第二蓄熱層５が所定温度となるように第二発熱体６に対する通電制御を行い、所定温度の設定は、第一蓄熱層温度コントローラー３３と同様に、床上に設置される操作盤ＳＷで行われる。
【００２９】
（仕上げ層７）
仕上げ層７は、上述したように、第二蓄熱層５を上方から覆って室内Ｒの床面Ｆを構成するものであって、図２及び図３に示されるように、第二蓄熱層５の上面に敷かれる耐熱保温マット７１と、その上面にひび割れ防止の補強用金網７２ａをおいて流し込まれる保護モルタル７２と、保護モルタル７２の上面に貼り付けられる仕上げ材としてのタイル７３と、を備えてなる。なお、仕上げ材は、いわゆる内装材であり、タイル以外に様々なものを採用することができる。
【００３０】
（上記実施形態の特徴）
上記実施形態に係る室内暖房装置１は、以下の特徴を有する。
【００３１】
第一に、上記実施形態に係る室内暖房装置１は、室内Ｒの床下Ｕに設置される第一蓄熱層２と、第一蓄熱層２を加熱する第一発熱体３と、第一蓄熱層２の内部を通過するように設けられて、室内Ｒに連通する吸気口４１及び排気口４２が設けられる空気通路４と、を備え、室内Ｒの空気を吸気口４１から空気通路４内へ導入する一方、空気通路４内で第一蓄熱層２からの放射熱によって加熱された空気を排気口４２から室内Ｒへ排出するという特徴を有する。これにより、室内Ｒに暖房ユニットを配置することなく、室内空間全体を効率的に暖房することができる。また、室内空気は空気通路４内に導入して加熱するだけで汚れが少ないために頻繁に換気する必要がなく、さらに空気加熱に蓄熱層を利用することにより、熱源となる第一発熱体３を常時運転する必要がないため、ランニングコストが低く抑えられるという利点がある。
【００３２】
第二に、上記実施形態に係る室内暖房装置１は、床下Ｕにおいて、第一蓄熱層２を上方から覆うように設置される第二蓄熱層５と、第二蓄熱層５を加熱する第二発熱体６と、を備え、第二蓄熱層５からの放射熱により、室内Ｒの床面Ｆを直接暖めるという特徴を有する。これにより、第二蓄熱層５の放射熱によって床面Ｆが直接暖められるので、第一蓄熱層２で加熱された空気を室内に送り込む空調暖房と相俟って、室内全体がムラなく暖房される。また、第一蓄熱層２は、上方を第二蓄熱層５によって覆われるために冷めにくく、加熱空気による空調暖房効果が長時間に亘って発揮される。
【００３３】
第三に、上記実施形態に係る室内暖房装置１は、第一蓄熱層２と第二蓄熱層５を仕切る断熱体としての第二断熱層５１を備えるという特徴を有する。これにより、第一蓄熱層２と第二蓄熱層５の間における熱移動が抑えられることとなり、各蓄熱層の温度をそれぞれ空調暖房及び床暖房に適した温度に個別設定することができる。
【００３４】
第四に、上記実施形態に係る室内暖房装置１は、第一発熱体３及び第二発熱体６が、深夜電力料金が適用される所定時間帯内に自動運転されるという特徴を有する。これにより、第一発熱体３及び第二発熱体６を深夜電力料金の適用される所定時間帯内にのみ運転して、安い電力料金で第一蓄熱層２と第二蓄熱層５に必要な熱を蓄えておき、所定時間帯以外はその蓄熱を利用して暖房をすることができるため、ランニングコストが低く抑えられる。
【００３５】
第五に、上記実施形態に係る室内暖房装置１は、空気通路４は、第一蓄熱層２内において、これを横断するように敷設される熱伝導性配管４ａで形成されているという特徴を有する。これにより、室内空気を効率的に循環させながら、空気通路４内を通過する空気の加熱を速やかに行うことができ、また空気の暖め具合を安定させることができる。
【００３６】
第六に、上記実施形態に係る室内暖房装置１は、空気通路４の中途部に設けられる電動ファン４３の作動、すなわち空気通路４への室内空気の導入及び空気通路４からの加熱空気の排出を、室内Ｒに設けられる温度センサＴの検出結果に基づいて行うという特徴を有する。これにより、空気通路４と室内Ｒの間における空気の循環を、室内温度に応じて行うことができ、その結果、室内を適温に維持することができ、暖め過ぎによって第一蓄熱層２の温度を無駄に低下させたり、あるいは暖め不足によって室内温度を低下させたりする不都合が確実に回避される。
【００３７】
第七に、上記実施形態に係る室内暖房装置１は、空気通路４が相互に独立して複数本設けられており、作動する電動ファン４３の台数、すなわち室内空気の導入及び排出を行う空気通路４の本数を、温度センサＴの検出結果に基づいて変更するという特徴を有する。これにより、室内温度と温度センサＴの検出結果の差に応じて、一層きめ細やかに室内温度を調節することができる。
【００３８】
（上記実施形態の変形例）
上記実施形態では、室内空気を導入・加熱・排出する空気通路４を形成する熱伝導性配管４ａとして、銅やステンレス等の金属製配管を紹介したが、これ以外に陶器製やコンクリート製等の様々な材質で形成される配管を採用することとしても良い。その際、配管に多数の小孔を設けておき、それらの小孔から熱を取り入れるようにしても良い。また、配管に代えて、相互に連通する小孔を備える多孔性ブロック等を設置しておき、それらの小孔を空気通路としても良い。さらに、上記実施形態では、第一蓄熱層２から室内空気に付与される熱量を大きくするために、配管を蛇腹状に形成したり、波形状に湾曲させたりしたが、他の形状に形成することとしても良い。
【００３９】
上記実施形態では、室内空気の温度調節がきめ細やかに実施されるように、すべての空気通路４を相互に独立して設けたが、複数本の空気通路の吸気口や排気口を一箇所にまとめるようにしても良い。上記実施形態では、室内騒音を抑えるために、吸気口付近の配管を室外に迂回させて、その迂回部に空気を循環させるファンを設置することとしたが、空気通路は吸気口から直接床下に向かうように設けても良く、ファンを室内に設置することとしても良い。また、吸気口側に設けるファンに代えて、あるいは追加して、排気口側にファンを取り付けることとしても良い。
【００４０】
上記実施形態では、第一発熱体３及び第二発熱体６の運転を深夜電力料金が適用される所定時間帯内に行うこととしたが、気温等の影響で第一蓄熱層２及び第二蓄熱層５の温度が著しく低下した場合に備えて、上記所定時間帯外であっても自動運転又は手動運転で各蓄熱層の温度を上げられるように構成しても良い。
【００４１】
上記実施形態では、第一蓄熱層２の下方にコンクリートスラブＳが設けられていたが、コンクリートスラブを設けることなく、土間の上面に直接、第一断熱層２１を設け、その上面に第一蓄熱層２を設置することとしても良い。
【００４２】
上記の他、本発明の室内暖房装置は、上記した実施の形態に限定されるものではなく、本発明の要旨を逸脱しない範囲内において種々変更を加え得ることは勿論である。
【図面の簡単な説明】
【００４３】
【図１】本発明に係る室内暖房装置が設置された建物の室内全体の側方断面図。
【図２】室内の床下部分の拡大断面図。
【図３】床下部分の詳細を説明するための一部拡大断面図。
【図４】床下部分の下方に設置される第一蓄熱層の平面断面図。
【図５】床下部分において第一蓄熱層の上方に設置される第二蓄熱層の平面断面図。
【符号の説明】
【００４４】
１    室内暖房装置
２    第一蓄熱層
３    第一発熱体
４    空気通路
５    第二蓄熱層
６    第二発熱体
７    仕上げ層
２１    第一断熱層
２１ａ  防湿シート
２１ｂ  発泡スチロール
２１ｃ  アルミ製熱反射シート
２１ｄ  耐水性耐火ボード
２２    第一側面断熱層
３１    ヒーター線
３２    ヒーター線
３３    第一蓄熱層温度コントローラー
４ａ    配管（熱伝導性配管）
４１    吸気口
４２    排気口
４３    電動ファン
４４    保護カバー
４５    排気筒
４６    化粧カバー
４７    排気口グリル
４８    フィルター
５１    第二断熱層
５１ａ  川砂層
５１ｂ  アルミ製熱反射シート
５１ｃ  耐水性耐火ボード
５２    第二側面断熱層
６１    ヒーター線
６２    ヒーター線
６３    第二蓄熱層温度コントローラー
７１    耐熱保温マット
７２    保護モルタル
７２ａ    補強用金網
７３    タイル
Ｆ    床面
Ｈ１    貫通穴
Ｈ２    貫通穴
Ｒ    室内
Ｓ      コンクリートスラブ
ＳＷ    操作盤
Ｔ    温度センサ
Ｕ    床下
Ｗ１    側壁
Ｗ２    側壁
Ｗ３    側壁